(57)【要約】【課題】スムーズな名刺交換を実現することができる名刺入れを提供する。【解決手段】上面側が開口し扁平直方体をなす箱状の本体ケース１０と、該本体ケース１０の開口する上面側を開放または閉塞し本体ケース１０に対し回動可能に形成された矩形状の蓋体２０と、本体ケース１０の後部側に蓋体２０の基端側を回動可能に軸支する回動軸１６と、を有し、蓋体２０を閉塞状態として本体ケース１０の内部空間に名刺５ａを収納するとともに、蓋体２０を開放状態として本体ケース１０の開口する上面側から名刺５の取り出しを行う名刺入れ１であって、本体ケース１０の内部空間に挿入した名刺５ｂの押圧により収納された名刺５ａを押し出して取り出す取り出し具４００を有する。【選択図】図１８
2017136340.tif 000002
【特許請求の範囲】
【請求項１】
本体を有し、該本体の内部空間に名刺を収納する名刺入れであって前記内部空間に挿入した名刺の押圧により前記収納された名刺を押し出して取り出す取り出し具を有することを特徴とする名刺入れ。
【請求項２】
上面側が開口する本体と、該本体の開口する上面側を開放または閉塞する蓋体と、を有し、前記本体の内部空間に名刺を収納する名刺入れであって、
前記内部空間に挿入した名刺の押圧により収納された名刺を押し出して取り出す取り出し具を有することを特徴とする名刺入れ。
【請求項３】
上面側が開口し扁平直方体をなす箱状の本体と、該本体の開口する上面側を開放または閉塞し前記本体に対し回動可能に形成された矩形状の蓋体と、前記本体の後部側に前記蓋体の基端側を回動可能に軸支する回動軸と、を有し、前記蓋体を閉塞状態として前記本体の内部空間に名刺を収納するとともに、前記蓋体を開放状態として前記本体の開口する上面側から前記名刺の取り出しを行う名刺入れであって、
前記内部空間に挿入した名刺の押圧により収納された名刺を押し出して取り出す取り出し具を有することを特徴とする名刺入れ。
【請求項４】
前記取り出し具は、前記本体の内部空間に高さ方向に延在する延在部を有するとともに、該延在部の高さ方向の中間部に回動軸を有し、前記延在部は、前記回動軸を中心として回動することを特徴とする請求項１乃至請求項３のうちいずれか一項に記載の名刺入れ。
【請求項５】
前記取り出し具は、前記延在部の上部に、前記高さ方向と交差する方向に延びる延長部を有し、該延長部の先端部に弾性部材または粘着性部材を備えることを特徴とする請求項４に記載の名刺入れ。
【請求項６】
前記延長部の先端部の前記本体の底面に対向する側を波状の面または粗面とすることを特徴とする請求項５に記載の名刺入れ。
【発明の詳細な説明】
【技術分野】
【０００１】
本発明は、名刺入れに関し、特に本体の内部空間に挿入した名刺の押圧により収納された名刺を押し出して取り出す取り出し具を有する名刺入れに関する。
【背景技術】
【０００２】
名刺を収納するための各種の名刺入れが提案されている。例えば、特許文献１には、本体と、該本体に対し開閉自在に枢支された蓋体とを有し、本体の内部空間に名刺を収納する箱状の名刺入れが開示されている。
【先行技術文献】
【特許文献】
【０００３】
【特許文献１】実開平６−３３５１９号
【発明の概要】
【発明が解決しようとする課題】
【０００４】
ところで、各種の名刺交換会においては、参加者は他の参加者と次々に名刺交換を行うがその際には、例えば、蓋体を開放した状態として本体の上面側の開口から収納された名刺のうち最上部の名刺つまり自らの名刺を取り出してこれを相手に渡し、相手から渡された名刺は、収納された最下部の名刺と底面との間に挿入して収納する等自らの名刺と相手から渡された名刺を分けながら収納することがある。しかしながら、最上部の自らの名刺を取り出す際には、指で名刺を押し出すように取り出したり、指や爪で名刺を引っ掛けて取り出す等するが、このように指や爪でいちいち押し出したり引っ掛けて取り出す動作は非常に煩わしくスムーズな名刺交換を阻害する要因となっていた。このため、ユーザーからは名刺の挿入を容易に行うことができる等、名刺交換の場面においてスムーズな名刺交換を実現することができる名刺入れの提案が強く望まれていた。
【０００５】
本発明はこのような事情に鑑みてなされたものであり、スムーズな名刺交換を実現することができる名刺入れを提供することを目的とする。
【課題を解決するための手段】
【０００６】
上記目的を達成するために、名刺入れに係る請求項１の発明は、本体を有し、該本体の内部空間に名刺を収納する名刺入れであって、内部空間に挿入した名刺の押圧により収納された名刺を押し出して取り出す取り出し具を有することを特徴とする。
【０００７】
上記目的を達成するために、名刺入れに係る請求項２の発明は、上面側が開口する本体と、該本体の開口する上面側を開放または閉塞する蓋体と、を有し、本体の内部空間に名刺を収納する名刺入れであって、内部空間に挿入した名刺の押圧により収納された名刺を押し出して取り出す取り出し具を有することを特徴とする。
【０００８】
上記目的を達成するために、名刺入れに係る請求項３の発明は、上面側が開口し扁平直方体をなす箱状の本体と、該本体の開口する上面側を開放または閉塞し本体に対し回動可能に形成された矩形状の蓋体と、本体の後部側に蓋体の基端部を回動可能に軸支する回動軸と、を有し、蓋体を閉塞状態として本体の内部空間に名刺を収納するとともに、蓋体を開放状態として本体の開口する上面側から名刺の取り出しを行う名刺入れであって、内部空間に挿入した名刺の押圧により収納された名刺を押し出して取り出す取り出し具を有することを特徴とする
【０００９】
本発明によれば、挿入された名刺の押圧により収納された名刺を押し出して取り出す取り出し具を有することとしたので、スムーズな名刺交換を実現することができる。
【００１０】
すなわち、取り出し具は、本体の内部空間に高さ方向に延在する延在部を有するとともに、該延在部の高さ方向の中間部に回動軸を有し、延在部は、回動軸を中心として回動することとすれば、本体の底面側から挿入された名刺により、すなわち相手側から渡された名刺により、延在部を押圧して回動させ、本体の上部側に収納された名刺すなわち自らの名刺を押し出すことができる等、名刺の挿入と同時に名刺の取り出しも容易に行うことができ、スムーズな名刺交換の実現に更に一層寄与することができる（請求項４）。
【００１１】
取り出し具は、延在部の上部に、高さ方向と交差する方向に延びる延長部を有し、該延長部の先端部に弾性部材または粘着性部材を備えることとすれば、延在部の回動により延長部が動作するとともに、その先端部の弾性部材または粘着性部材の作用により最上部側に収納された名刺を確実に押し出すことができる（請求項５）。
【００１２】
延長部の先端部の前記本体の底面に対抗する側を粗面または波状の面とすることとすれば、最上部側に収納された名刺を更に確実に押し出すことができる（請求項６）。
【発明の効果】
【００１３】
本発明によれば、スムーズな名刺交換を実現することができる。
【図面の簡単な説明】
【００１４】
【図１】本発明の実施形態における第１実施例を示す名刺入れの構成を示す斜視図である。
【図２】本発明の実施形態における第１実施例を示す名刺入れの閉塞した状態を示す斜視図である。
【図３】同第１実施例における名刺の挿入方法を模式的に説明する側面図である。
【図４】同第１実施例における名刺の挿入方法を模式的に説明する図３に続く側面図である。
【図５】同第１実施例における名刺の挿入方法を模式的に説明する図４に続く側面図である。
【図６】同第１実施例における名刺の挿入方法を模式的に説明する図５に続く側面図である。
【図７】同第１実施例における名刺の挿入方法を模式的に説明する図６に続く図で、（ａ）は蓋体を閉塞し突出部の突出量が低減した状態を示す側面図、（ｂ）は突出部が平面的な形状となり突出量が更に低減した状態を示す側面図である。
【図８】本発明の実施形態における第２実施例を示す名刺入れの構成を示す斜視図である。
【図９】同第２実施例における本体ケースの突出部の形成方法を説明する図で、（ａ）は側面部、（ｂ）は平面図である。
【図１０】同第２実施例における切り込みの構成を拡大して示す拡大平面図である。
【図１１】同第２実施例における本体ケースの突出部の形成方法を説明する図９に続く側面図である。
【図１２】同第２実施例における本体ケースの突出部の形成方法を説明する図１１に続く図である。
【図１３】同第２実施例における本体ケースの突出部の形成方法を説明する図１２に続く側面図である。
【図１４】同第２実施例における本体ケースの突出部における張り出し部の別の構成を示す平面図である。
【図１５】本発明の実施形態における第３実施例の一例に係る名刺入れの構成を示す斜視図である。
【図１６】同第３実施例の他の例を示す斜視図である。
【図１７】同第３実施例における名刺入れを裏面側から見た状態を示す平面図である。
【図１８】本発明の実施形態における第４実施例の一例に係る名刺入れの構成を示す斜視図である。
【図１９】同第４実施例の他の例に係る名刺入れの構成を示す斜視図である。
【図２０】同第４実施例の更に他の例に係る名刺入れの構成を示す斜視図である。
【図２１】同第４実施例におけるまた更に他の例に係る名刺入れの構成を示す斜視図である。
【図２２】同第４実施例における取り出し具の構成を模式的に示す拡大側面図である。
【図２３】同第４実施例における取り出し具の先端部の構成を示す図で、（ａ）は裏面図、（ｂ）は側面図である。
【図２４】同第４実施例における取り出し具の先端部の別の構成を示す裏面図である。
【図２５】同第４実施例における名刺の取り出し方法を模式的に説明する側面図である。
【図２６】同第４実施例における名刺の取り出し方法を模式的に説明する図２５に続く側面図である。
【図２７】同第４実施例の他の例を示す斜視図である。
【図２８】同第４実施例の他の例を模式的に示す拡大側面図である。
【図２９】同第４実施例の更に他の例を模式的に示す拡大側面図である。
【図３０】同第４実施例のまた更に他の例を模式的に示す拡大斜視図である。
【図３１】本発明の実施形態における第１の応用例を示す斜視図である。
【図３２】本発明の実施形態における第２の応用例を示す斜視図である。
【図３３】本発明の実施形態における第３の応用例を示す斜視図である。
【図３４】本発明の実施形態における第４の応用例を示す斜視図である。
【図３５】本発明の実施形態における第５の応用例を示す斜視図である。
【図３６】本発明の実施形態における第６の応用例を示す斜視図である。
【図３７】本発明の実施形態における第７の応用例を示す斜視図である。
【発明を実施するための形態】
【００１５】
以下、本発明の実施形態について図面を参照して詳細に説明する。本発明の名刺入れ１乃至４は、本体１０より詳しくは本体ケース１０の内部空間に名刺５を収納し、本体ケース１０の底面１５に突出部１００，２００を設けている。以下、本発明の名刺入れ１乃至４の詳細を、実施例１乃至実施例４において説明する。なお、以下においては、名刺入れ１乃至４の蓋体２０側を上方、本体ケース１０の底面１５側を下方、蓋体２０を回動させる本体ケース１０の回動軸１６側を後方、名刺入れ１乃至４の手前側すなわち回動軸１６の反対側を前方、名刺入れ１を前方側に見て左側を左方、右側を右方として説明するものとする。また、以下の説明においては、上下方向を高さ方向とする。
【００１６】
[実施例１]
本発明の実施例１について図１乃至図７を参照して詳細に説明する。実施例１に係る名刺入れ１は、本体ケース１０と蓋体２０を有している。
図１に示すように、本体ケース１０は、扁平直方体をなす箱状で、前壁１１、左側壁１２、右側壁１３、後壁１４、および底壁１７からなる。本体ケース１０は、上面側に開口が形成された構成となっており、前後方向の寸法が一般的な名刺５のサイズよりも大きく設定されている。前壁１１の上端には、庇部１１ａが設けられており、庇部１１ａは、本体ケース１０の上面側の開口の一部を塞いでいる。すなわち、庇部１１ａは、前壁１１の上端から前壁１１の幅全体にわたり後方に所定長さ延びており、収納された名刺５の上面を前部側より押さえる機能を有している。本体ケース１０は、後述する突出部１００も含め、有色の金属製または非金属製の材料で形成されている。
【００１７】
蓋体２０は、矩形状（矩形状は、矩形状および略矩形状を含む）に形成されており、本体ケース１０の開口する上面側を開放または閉塞する機能を有している。すなわち、蓋体２０は、基端２１側を本体ケース１０の後部側より詳しくは本体ケース１０の後壁１４の上端側に回動可能に軸支されており、これにより前後方向に回動可能となっている。本体ケース１０の後壁１４の上端には蓋体２０を開閉するための回動軸１６が設けられている。
【００１８】
つまり、蓋体２０を前方に回動させ蓋体２０の先端側を前壁１１により係止させる等することにより、本体ケース１０の開口が閉塞された状態となる（図２）。これにより、本体ケース１０の内部空間を名刺５を収納する収納空間として機能させることができる。一方、蓋体２０を後方に回動させることにより本体ケース１０の開口が開放された状態となる（図１）。これにより、開口する上面側から名刺５を取り出すことができる。なお、蓋体２０も本体ケース１０と同様に有色の金属製または非金属製で形成されている。
【００１９】
ここで、本体ケース１０の底面１５には、突出部１００が設けられている。すなわち、突出部１００は、山型に形成されており、中間部を上方に突出させた形状となっている。突出部１００は、底面１５の中央部に設けられており、一端を固定端とし、他端を自由端としている。突出部１００は、板バネとなっている。
【００２０】
すなわち、突出部１００は、底面１５において前後方向に延在するように設けられており、板状にかつ湾曲可能な材料で形成されている。突出部１００は、第１の傾斜面１０５および第２の傾斜面１１０を有している。
【００２１】
第１の傾斜面１０５は、山型の一方の傾斜面より詳しくは山型の後方側の傾斜面としており、後方から前方にかけてより詳しくは突出部１００の後端部から中間部にかけて底面１５から高さ方向に漸次離間するように形成されている。第１の傾斜面１０５の後端部つまり突出部１００の後端部（突出部１００の一端）は、固定端となっており、底面１５に対し固定された状態となっている。なお、固定端側には底面１５に突出部１００を固定するための固定部１１５が第１の傾斜面１０５の後端部から延在するように形成されている。固定部１１５は底面１５に対し水平に形成されており、固定部１１５の底面１５に対する固定は、接着剤による接着等により行われる。
【００２２】
第２の傾斜面１１０は、山型の他方の傾斜面より詳しくは山型の前方側の傾斜面とし、突出部１００の中間部から前端部にかけて底面１５から高さ方向に漸次接近するように形成されている。第２の傾斜面１１０の前端すなわち突出部１００の前端（突出部１００の他端）は、自由端となっており、底面１５に対し固定されていない状態となっている。突出部１００の前端は、名刺５の未収納状態においても底面１５に予め接地した状態となっている。
【００２３】
ここで、第１の傾斜面１０５および第２の傾斜面１１０は、平面的にすなわち直線的に形成されている。第１の傾斜面１０５および第２の傾斜面１１０と底面１５とのなす角度は、名刺５の未収納状態において、５度乃至４５度、好ましくは５度乃至３０度、より好ましくは５度乃至１５度、更に好ましくは５度乃至１０度に設定される。
【００２４】
以上のように構成された名刺入れ１による名刺の挿入方法は次のように説明される。
すなわち、図３に示すように、本体ケース１０の底面１５に突出部１００を設けることにより、突出部１００を介して本体ケース１０の内部空間に収納された最下部の名刺５と底面１５との間に隙間１８が形成される。上記の如く本体ケース１０は、前後方向の寸法が一般的な名刺５のサイズよりも大きく設定されており、名刺５を収納した状態においては、後端部側に名刺５を挿入するための挿入口１９が容易に形成される。なお、突出部１００は山型に形成され、その前端は底面１５に接地した状態となっているため、隙間１８を確実に形成することができる。また、突出部１００の山型の前端部は底面１５に予め接地した状態となっているため、隙間１８の形成を更に確実に行うことができる。
【００２５】
次に、図４に示すように、新たに収納する名刺５、例えば名刺交換等により相手から渡された名刺５ａを挿入口１９および隙間１８を介して本体ケース１０内に挿入する。つまり、突出部１００を介して本体ケース１０の内部空間に収納された名刺５と底面１５との間に形成された隙間１８から挿入方向を後方から前方として名刺５ａを挿入する。
【００２６】
続いて、図５に示すように、挿入した名刺５ａで予め収納されている名刺５を上方に起こしつつ、名刺５ａの下端部を第１の傾斜面１０５に沿って更に前方へと案内する。本発明においては、突出部１００は、後端部を固定端とすることとしたので、名刺５の挿入側が突出部１００の固定端側となる。このため、名刺５ａの挿入時に名刺５ａが引っ掛かかることを少なくすることができる。
【００２７】
次いで、図６に示すように、挿入した名刺５ａの下端が本体ケース１０の前壁１１に達すると一連の名刺５ａの挿入動作が終了する。図７（ａ）に示すように、蓋体２０を閉塞状態として名刺５を収納状態とした場合においては、上方からの押圧力すなわち蓋体２０の押圧力が収納された名刺５を介して突出部１００に加えられる。本発明においては、突出部１００の後端部を固定端とし、前端部を自由端としているため、突出部１００の前端部を底面１５に沿って前方に移動させて押圧力を前方に逃がしながら突出部１００の突出量を低減させることができる。これにより、本体ケース１０内の名刺５の収納容積の低減を抑制することができる。
【００２８】
なお、第１の傾斜面１０５および第２の傾斜面１１０を直線的に形成することとしたので、図７（ｂ）に示すように、収納された名刺５の枚数によっては、上方からの押圧力により、突出部１００を容易に平面的な形状（平面的な形状は、平面的な形状および略平面的な形状を含む）にすることができ、収納容積の低減を抑制させる効果が更に大きくなる。
【００２９】
また、第１の傾斜面１０５および第２の傾斜面１１０の角度を、５度乃至４５度、好ましくは５度乃至３０度、より好ましくは５度乃至１５度、更に好ましくは５度乃至１０度に設定することとしたので、上方からの押圧力により、更に一層容易に平面的な形状（平面的な形状は、平面的な形状および略平面的な形状を含む）にすることができ、収納容積の低減を抑制させる効果を更に一層大きくすることができる。
【００３０】
[実施例２]
次に本発明の実施例２について図８乃至図１４を参照して詳細に説明する。なお、本実施例２の説明においては、上述した実施例１と同一の符号が付された構成については同一の構成であるとしてその説明を省略することがあるものとする。
本実施例２における名刺入れ２（２ａ，２ｂ）は、実施例１に対し突出部を変更した構成となっている。すなわち、実施例２の名刺入れ２（２ａ）は、図８に示すように、底面１５の一部より詳しくは底壁１７の一部に切り込みを設けて突出部２００を形成する構成となっている。
【００３１】
つまり、突出部２００は、図９および図１０に示すように、本体ケース１０の底壁１７の中央部に矩形状（矩形状は、矩形状および略矩形状を含む）より詳しくは長方形状（長方形状は、長方形状および略長方形状を含む）の切り込み２１０を設けて形成される。この切り込み２１０は、前端部の切り込み２１１、左側端部の切り込み２１２、および右側端部の切り込み２１３を含み、後端部は底面１５と接続された状態となっている（前端部の切り込み２１１は左側端部の切り込み２１２および右側端部の切り込み２１３に対し直交するように形成される）。
【００３２】
ここで、左側端部の切り込み２１２の先端より詳しくは前端（以下、前端とする）および前端部の切り込み２１１の左端には、左側の外側に張り出すようにコの字状の切り込み２１２ａが更に設けられ、右側端部の切り込み２１３の先端より詳しくは前端（以下、前端とする）および前端部の切り込み２１１の右端には、右側の外側に張り出すようにコの字状の切り込み２１３ａが更に設けられ、左側のコの字状の切り込み２１２ａの一端は、左側端部の切り込み２１２の前端と接続され、左側のコの字状の切り込み２１２ａの他端は、前端部の切り込み２１１の左端に接続され、右側のコの字状の切り込み２１３ａの一端は、右側端部の切り込み２１３の前端と接続され、右側のコの字状の切り込み２１３ａの他端は、前端部の切り込み２１１の右端に接続されている。
【００３３】
このように切り込みを設けることにより、図１１に示すように、切り込み２１０部分を上方に押し上げ、更に図１２に示すように、切り込み２１０部分の中間部を屈曲させることにより切り込み２１０と同形の開口２３０が形成されるとともに、突出部２００を後端部を固定端とし前端部を自由端とする山型に形成することができる。上記の如く、左側端部の切り込み２１２の前端と右側端部の切り込み２１３の前端には外側に張り出すようにコの字状の切り込み２１２ａ，２１３ａが設けられているので、突出部２００の先端部より詳しくは前端部（以下、前端部とする）の左右側方には外方側に張り出すコの字状の張り出し部２０１，２０２が形成される。
【００３４】
このように、突出部２００を、固定端となる一端より詳しくは後端部を本体ケース１０の底面１５と接続された状態としつつ、両側および前端部を底面１５に対し切り込み２１０を設けて形成し、該切り込み部分を上方に押し上げ、かつ、切り込み部分の中間部を屈曲させて山型に形成することとしたので、突出部２００を本体ケース１０と一体に形成することができ、製造工程を簡素化することができる。また、突出部２００の後端部と本体ケース１０の底面との間に段差がなくなり、名刺５ａを挿入する際に名刺５ａが突出部２００の後端部に引っ掛かることを確実に防止することができる。
【００３５】
ここで、図１３に示すように、底面１５に切り込み２１０を設けて突出部２００を形成することにより、底面１５には切り込み２１０と同形の開口２３０が形成されるが、本実施例２においては、上記の如く、突出部２００の前端部の左右側方に外方側に張り出す張り出し部２０１，２０２が形成されるので、前端部の幅寸法は切り込み２１０により形成された開口２３０（より詳しくは、前端部を除く開口２３０）の幅寸法よりも大きく設定される。
【００３６】
これにより、突出部２００の前端部を底面１５に確実に接地させることができる。また、名刺５の挿入量や収納量が多い場合にあっても、張り出し部２０１，２０２が本体ケース１０の底面１５に接地して規制されることにより、突出部２００が本体ケース１０の開口２３０から外部に露出することを確実に防止することができる。
【００３７】
ここで、張り出し部２０１，２０２の先端２０１ａ，２０２ａは、シリコン、ゴム、ウレタン、あるいはプラスチック等の弾性のある材料あるいは軟質な材料がコーティングされて施されており、突出部２００の前端との摩擦により底面１５が損傷されることがないように考慮されている。
なお、図１４の名刺入れ２ｂに示すように、コの字状の切り込み２１２ａ，２１３ａに代えて傾斜部分２１２ｂ´，２１３ｂ´を含む切り込みより詳しくは三角形状（三角形状は、三角形状および略三角形状を含む）の切り込み２１２ａ´，２１３ａ´を形成することとし、突出部２００の前端部の左右側方に外方側に張り出す三角形状（三角形状は、三角形状および略三角形状を含む）の張り出し部２０１´，２０２´を形成することとしてもよい。
すなわち、三角形状の切り込み２１２ａ´，２１３ａ´は、傾斜部分２１２ｂ´，２１３ｂ´の間の距離Ｍ´（傾斜部分２１２ｂ´，２１３ｂ´における幅寸法Ｍ´）が前方から後方にかけて漸次減少するように形成されており、三角形状の張り出し部２０１´，２０２´の傾斜部分２０１ｂ´，２０２ｂ´の間の距離Ｎ´（傾斜部分２０１ｂ´，２０２ｂ´における幅寸法Ｎ´）も前方から後方にかけて漸次減少するように形成されている。これにより、突出部２００が本体ケース１０の開口２３０から外部に露出することをより一層確実に防止することができる（突出部２００は、板状で湾曲可能な材料で形成された板バネとしているため、名刺５の挿入量や収納量が多い場合にあっても、完全に伸び切ることは少なく開口２３０から外部に露出することが殆どない）。
【００３８】
なお、本実施例２の開口２３０を含んだ本体ケース１０および突出部２００を型成型により一体に形成することとしてもよい。この場合にあっては、製造工程を更に簡素化することができる。ここで、図８乃至図１４からも明らかなように、突出部２００の山型においても、底面１５から高さ方向に後端部から中間部にかけて漸次離間するように形成された後方側の傾斜面２０５を山型の一方の傾斜面２０５（第１の傾斜面２０５）とし、底面１５から高さ方向に中間部から前端部にかけて漸次接近するように形成された前方側の傾斜面２２０を山型の他方の傾斜面（第２の傾斜面２２０）とし、第１の傾斜面２０５および第２の傾斜面２２０は、平面的により詳しくは直線的に形成されており、第１の傾斜面２０５および第２の傾斜面２２０と底面１５とのなす角度は、名刺５の未収納状態において、５度乃至４５度、好ましくは５度乃至３０度、より好ましくは５度乃至１５度、更に好ましくは５度乃至１０度に設定される。突出部２００は、底面１５の中央部において、前後方向に延在するように形成される。
【００３９】
[実施例３]
次に本発明の実施例３について図１５乃至図１７を参照して詳細に説明する。なお、本実施例３の説明においては、上述した実施例１および実施例２と同一の符号が付された構成については同一の構成であるとしてその説明を省略することがあるものとする。
【００４０】
本実施例３における名刺入れ３（３ａ，３ｂ）は、実施例１および実施例２に対し本体ケース１０の底壁１７を変更した構成となっている。すなわち、実施例３の名刺入れ３（３ａ，３ｂ）は、図１５および図１６に示すように、底面１５の大部分より詳しくは底壁１７の大部分と突出部１００，２００を透明な材料で形成した構成を示している。この透明な材料の形成範囲１５ａは、矩形状（矩形状は、矩形状および略矩形状を含む）とし少なくとも底面１５の中央部より詳しくは底壁１７の中央部を含むこととしている（図においては、本体ケース１０の中央部は透明な材料で形成されており、本体ケース１０の底面１５の縁部、側面、および蓋体２０は有色の金属製または非金属製の材料で形成されている）。
【００４１】
すなわち、本体ケース１０の底面１５を透明な材料で形成することにより、隙間１８を介して新たに挿入された名刺５ａを容易に視認することができる。これにより、例えば、名刺交換の際に相手から渡された名刺５ａを隙間１８を介して最下部の名刺と底面１５との間に挿入したとしても、図１７に示すように、底面１５を表面側とすることとすれば、名刺５ａを収納した状態でも相手とコミュニケーションを取りながら名刺５ａの情報を無理なく確認することができる。また、透明な材料の形成範囲１５ａは、底面１５のうち少なくとも中央部を含むこととしたので、透明な材料を介して収納された名刺５ａの情報を確実に視認することができる。なお、透明な材料の形成範囲１５ａは、底面１５のうち少なくとも中央部を含むこととすればよく、底面１５のうち中央部のみを透明な材料で形成する場合、底面１５の全体を透明な材料で形成する場合のいずれも含む。また、透明な材料には、例えば透明アクリル樹脂材料が採用される。
【００４２】
[実施例４]
次に本発明の実施例４について図１８乃至図３０を参照して詳細に説明する。なお、本実施例４の説明においては、上述した実施例１乃至実施例３と同一の符号が付された構成については同一の構成であるとしてその説明を省略することがあるものとする。
【００４３】
本実施例４における名刺入れ４（４ａ，４ｂ，４ｃ，４ｄ，４ｅ）は、実施例１乃至実施例３の名刺入れ１，２，３に対し名刺５の取り出し具４００を設けた構成となっている。取り出し具４００は、挿入口１９および隙間１８を介して挿入された名刺５ａの押圧により、収納された最上部の名刺５を押し出して取り出すことができる。
すなわち、図１８乃至図２２に示すように、取り出し具４００は、本体ケース１０の内部空間における前部より詳しくは前壁１１の近傍に設けられており、前壁１１から取り出し具４００の後端までの距離Ｌは、庇部１１ａの幅Ｌ´よりも短く設定されている。つまり、取り出し具４００は、上方から見たときに、庇部１１ａにより隠されるように配置されており、名刺交換の相手に違和感を与えることのないように考慮されている。
取り出し具４００は、基部４１０、回動軸４２０、および延長部４３０つまり押し出し部４３０を有している。取り出し具４００は、回動軸４２０を中心として前後方向に回動可能となっている。
【００４４】
基部４１０は、本体ケース１０の内部空間の前部において高さ方向に屈曲しながら延在しており、第１の延在部４１１、第２の延在部４１２、および第３の延在部４１３を有している。
【００４５】
第１の延在部４１１は、基部４１０の下端部つまり本体ケース１０の底面１５の僅か上方から中間部つまり本体ケース１０の収納空間の中間部にかけて設けられ、高さ方向に板状に延在する。
【００４６】
第２の延在部４１２は、基部４１０の中間部に設けられ、第１の延在部４１１の上端部と接続して水平方向の後方から前方に板状に延在している。第２の延在部４１２には、中間部に回動軸４２０が設けられている。
【００４７】
第３の延在部４１３は、基部４１０の中間部から上端部つまり本体ケース１０の収納部の上端部から僅か下方にかけて設けられ、第２の延在部４１２の前端部と接続し高さ方向に板状に延在している。
【００４８】
押し出し部４３０は、支持部４３１および押し出し部材４３２を有している。支持部４３１は、第３の延在部４１３の上部から高さ方向と交差する方向により詳しくは前方の斜め下方側に棒状に延びるように形成されている。支持部４３１は、湾曲可能な材料で形成されている。
【００４９】
押し出し部材４３２は、支持部４３１の先端部に設けられており、立体的な楕円形状より詳しくはラグビーボール型もしくは葉巻型に形成されている。押し出し部材４３２は、例えばシリコンやゴム等の弾性部材または粘着性部材で形成されている。
【００５０】
押し出し部材４３２は、図２３に示すように、本体ケース１０の底面１５に対向する側４３２ａ（以下、便宜上裏面側４３２ａとする）を波状の面、または図２４に示すように粗面としており、名刺５は、押し出し部材４３２の裏面側４３２ａの下方側に収納されている。
【００５１】
すなわち、図２５に示すように、取り出し具４００は、収納されている最上部の名刺５に押し出し部材４３２の裏面側４３２ａを押し当てた状態とされる。そして、図２６に示すように、挿入口１９および隙間１８を介して名刺５ａを挿入し、名刺５ａの下端により取り出し具４００の第１の延在部４１１を押圧する。これにより、第１の延在部４１１を、回動軸４２０を中心として後方から前方に回動させ、更にこの回動によって第３の延在部４１３を前方から後方に回動させ倒伏させることができる。
【００５２】
取り出し具４００をこのような構成とすることにより、名刺交換会等で相手側から渡された名刺５ａを挿入口１９および隙間１８を介して挿入して基部４１０を押圧し回動させ前方から後方に倒伏させることにより、本体ケース１０の上部側に収納された名刺５すなわち自らの名刺５を押し出して容易に取り出すことができる。すなわち、渡された名刺５ａの挿入と同時に自らの名刺５を取り出すことができ、スムーズな名刺交換の実現に更に一層寄与することができる。
【００５３】
本発明においては、押し出し部材４３２の裏面側４３２ａを波状の面または粗面とすることとしたので、最上部側に収納された名刺５を確実に押し出して取り出し易くすることができる。また、押し出し部材４３２を立体的な楕円形状より詳しくはラグビーボール型もしくは葉巻型に形成することとしたので、収納された名刺５が突出部１００，２００の影響で傾斜したとしても押し出し部材４３２の裏面側４３２ａを収納された名刺５に確実に押し当てることができる。
【００５４】
なお、本実施例４にあっては、押し出し部４３０の支持部４３１を棒状に形成し、押し出し部材４３２を立体的な楕円形状より詳しくはラグビーボール型もしくは葉巻型に形成することとしているが、図２７および図２８に示すように、押し出し部４３０の支持部４３１および押し出し部材４３２を板状に形成することとしても所要の効果を奏することができる。この場合にあっても、押し出し部材４３２の裏面側４３２ａを上記と同様に波状の面または粗面に形成するのは勿論である。
【００５５】
また、本実施例４にあっては、取り出し具４００の基部４１０は高さ方向に屈曲しながら延在することとしているが、図２９に示すように、取り出し具４００の基部４１０のうち水平方向に延びる第２の延在部４１２を省略して第１の延在部４１１および第３の延在部４１３のみとし単に高さ方向に延在することとしても所要の効果を奏する。
【００５６】
更に、本実施例４においては、取り出し具４００の基部４１０を板状に形成することとしているが、図３０に示すように、棒状に形成することとしても所要の効果を奏する。なお、取り出し具４００の基部４１０の寸法は、該基部４１０を回動させたときに前壁１１および庇部１１ａに緩衝しない寸法に設定されている。
【００５７】
以上説明したように、本発明によれば、名刺入れ１乃至４において、本体ケース１０の底面１５に突出部１００，２００を設けることとしたので、突出部１００，２００を介して、本体ケース１０に収納された最下部の名刺５と本体ケース１０の底面１５との間に隙間１８が形成され、該隙間１８を介して相手側から渡された名刺５ａを挿入することができる等、スムーズな名刺交換を実現することができる。
【００５８】
なお、本発明は特許請求の範囲を逸脱しない範囲で各種の応用実施を行うことが可能であることは勿論である。
すなわち、例えば上述した実施例１乃至実施例４においては、突出部を山型とすることとしているが、他の形状であっても突出する構成であって収納された最下部の名刺５と底面１５との間に隙間１８を形成する構成とすることとすれば、所要の効果を奏する。
【００５９】
また、例えば上述した実施例１乃至実施例４においては、突出部１００，２００の後端部を固定端とし、前端部を自由端とすることとしているが、例えば図３１の名刺入れ４ａ´および図３２の名刺入れ４ｂ´に示すように突出部５００，６００の前端部を固定端とし、後端部を自由端としても所要の効果を奏する（図３１および図３２からも明らかなように、突出部５００は突出部１００を単に１８０度反対向きとした構成とし、突出部６００は突出部２００を単に１８０度反対向きとした構成としており、突出部５００は、固定部５１５、第１の傾斜面５０５、第２の傾斜面５１０を有し、突出部６００は、第１の傾斜面６０５、第２の傾斜面６１０を有している）。すなわち、実施例１乃至実施例４の突出部１００，２００は、後端部および前端部のうちいずれか一方を固定端とし、いずれか他方を自由端とすることとすれば、突出部１００，２００の突出量を容易に変更することが可能となる。なお、上記からも明らかなように、突出部を、前端部を固定端とし、後端部を自由端とする構成に対し、後端部を固定端とし、前端部を自由端とする構成の方が名刺５ａの引っ掛かかりを防止する効果が大きくなることは勿論である。すなわち、上述した実施例１乃至実施例４においては、名刺５ａの挿入側となる後端部側のみを固定端としている。
【００６０】
更に、上述した実施例１乃至実施例４においては、突出部１００，２００を板状に形成することとしているが、図３３の名刺入れ４ｃ´の突出部７００のように棒状に形成することとしてもよい（突出部７００は、突出部１００を単に棒状とした構成を示しており、固定部７１５、第１の傾斜面７０５、第２の傾斜面７１０を有している）。特に実施例３においては底面１５を透明な材料で形成することとしたので、突出部７００を棒状に形成することにより、突出部７００が新たなに収納された名刺５ａの視認の障害となることを防止することができる。
【００６１】
更にまた、上述した実施例１乃至実施例４においては、突出部１００，２００を本体ケース１０の底面１５に一つ設けることとしているが、図３４の名刺入れ４ｄ´および図３５の名刺入れ４ｅ´に示すように、複数設けることとしてもよい。この場合にあっては、名刺５ａの挿入側となる突出部１００，２００の後端部側のみを固定端とし、前端部側を自由端とすることが好ましい。これにより、名刺５ａの引っ掛かかりを防止する効果を大きくすることができる。
【００６２】
また更に、上述した実施例１乃至実施例４においては、突出部１００，２００の自由端側は本体ケース１０の底面１５に予め接地させることとしているが、図３６の名刺入れ４ｆ´に示す突出部１０００のように、第２の傾斜面１０１０を第１の傾斜面１００５に対し相対的に短い長さで下方に屈曲させて形成し、名刺５の未収納状態において、自由端側が底面１５に接地しない構成とすることとしてもよい（突出部１０００は、突出部１００，２００の第２の傾斜面１０５，２０５を単に短い長さとした構成としており、第１の傾斜面１００５、第２の傾斜面１０１０を有している）。この場合にあっては、例えば第２実施例の如く底面１５に切り込み２１０を入れて開口２３０を形成する場合に、張り出し部２０１，２０２，２０１´，２０２´を省略したとしても底面１５からの突出部１０００のはみ出し量を少なく設定することができる等、張り出し部２０１，２０２，２０１´，２０２´を省略することが可能となる。
【００６３】
また、図３７の名刺入れ４ｇ´に示すように、上述した実施例１乃至実施例４において、山型の突出部１２００の頂点を円弧状に湾曲させた構成としてもよい（突出部１２００は、突出部１００，２００の頂点を単に円弧状にした構成としており、第１の傾斜面１２０５、第２の傾斜面１２１０を有している）。この場合にあっては、最下部に収納された名刺５の突出部１２００の頂点との摩擦による損傷を抑制することができる。
【産業上の利用可能性】
【００６４】
本発明は、本体ケースの内部空間に挿入した名刺の押圧により収納された名刺を押し出して取り出す取り出し具を有する名刺入れを提供して名刺交換の場面においてスムーズな名刺交換を実現する。これにより名刺入れを利用するユーザー間の活発な交流を促し、引いては各種の業界の発展に大きく貢献する。 
【符号の説明】
【００６５】
１，２，２ａ，２ｂ，３，３ａ，３ｂ，４，４ａ，４ｂ，４ｃ，４ｄ，４ｅ，４ａ´，４ｂ´，４ｃ´，４ｄ´，４ｅ´，４ｆ´，４ｇ´：名刺入れ
５：名刺（収納された名刺）
５ａ：挿入された名刺
１０：本体ケース（本体）
１１：前壁
１１ａ：庇部
１２：左側壁
１３：右側壁
１４：後壁
１５：底面
１５ａ：透明な材料の形成範囲
１６：回動軸
１７：底壁
１８：隙間
１９：挿入口
２０：蓋体
２１：基端
１００，２００，５００，６００，７００，１０００，１２００：突出部
１０５，２０５，５０５，６０５，７０５，１００５，１２０５：第１の傾斜面
１１０，２２０，５１０，６１０，７１０，１０１０，１２１０：第２の傾斜面
１１５，５１５，７１５：固定部
２０１，２０２：コの字状の張り出し部
２０１´，２０２´：三角形状の張り出し部
２０１ａ，２０２ａ：先端
２０１ｂ´，２０２ｂ´：傾斜部分
２１０：切り込み
２１１：前端部の切り込み
２１２：左側端部の切り込み
２１２ａ：コの字状の切り込み
２１２ａ´：三角形状の切り込み
２１２ｂ´：傾斜部分
２１３：右側端部の切り込み
２１３ａ：コの字状の切り込み
２１３ａ´：三角形状の切り込み
２１３ｂ´：傾斜部分
２３０：開口
４００：取り出し具
４１０：基部
４１１：第１の延在部
４１２：第２の延在部
４１３：第３の延在部
４２０：回動軸
４３０：押し出し部（延長部）
４３１：支持部
４３２：押し出し部材
４３２ａ：押し出し部材の裏面側
【図１】
2017136340.tif 000003
【図２】
2017136340.tif 000004
【図３】
2017136340.tif 000005
【図４】
2017136340.tif 000006
【図５】
2017136340.tif 000007
【図６】
2017136340.tif 000008
【図７】
2017136340.tif 000009
【図８】
2017136340.tif 000010
【図９】
2017136340.tif 000011
【図１０】
2017136340.tif 000012
【図１１】
2017136340.tif 000013
【図１２】
2017136340.tif 000014
【図１３】
2017136340.tif 000015
【図１４】
2017136340.tif 000016
【図１５】
2017136340.tif 000017
【図１６】
2017136340.tif 000018
【図１７】
2017136340.tif 000019
【図１８】
2017136340.tif 000020
【図１９】
2017136340.tif 000021
【図２０】
2017136340.tif 000022
【図２１】
2017136340.tif 000023
【図２２】
2017136340.tif 000024
【図２３】
2017136340.tif 000025
【図２４】
2017136340.tif 000026
【図２５】
2017136340.tif 000027
【図２６】
2017136340.tif 000028
【図２７】
2017136340.tif 000029
【図２８】
2017136340.tif 000030
【図２９】
2017136340.tif 000031
【図３０】
2017136340.tif 000032
【図３１】
2017136340.tif 000033
【図３２】
2017136340.tif 000034
【図３３】
2017136340.tif 000035
【図３４】
2017136340.tif 000036
【図３５】
2017136340.tif 000037
【図３６】
2017136340.tif 000038
【図３７】
2017136340.tif 000039